(57)【要約】      （修正有）【課題】  気圧によりヘッド部を外筒の内部に収縮する気圧押し返し式安全注射器を提供する。【解決手段】注射筒１０はシリンダー状の外筒１１を有し、その一端にネジ山を有する螺合部１２が設けられると共に、他端に外側へ延出する指用つば１３が設けられ螺合部を有する一端に互いに平行する複数の位置決め溝１２１が形成され、位置決め溝の長さが螺合部より短く、端を三つの係合部１２２分割する。ヘッド部材２０は、ヘッド部２３と、取付部材２１と、一部が取付部材の内部に収容されるブロック２５とを有し、螺合部の係合部の内部に収容され、外側に複数の防滑リブ２１１及び密接リング２１２が設けられる。【選択図】  図１
0003108867.tif 000002
【実用新案登録請求の範囲】
【請求項１】
注射筒と、ヘッド部材と、ロック用カバーと、プランジャーとを有する気圧押し返し式安全注射器であって、
前記注射筒はシリンダー状の外筒を有し、その一端にねじ山を有する螺合部が設けられると共に、他端に外側へ延出する指用つばが設けられ、該螺合部を有する一端に互いに平行する複数の位置決め溝が形成されることにより、該端を複数の係合部に分割し、
前記ヘッド部材は、ヘッド部と、取付部材と、一部が該取付部材の内部に収容されるブロックとを有し、該取付部材の一側の中央に貫通孔を有する中空な取付部が設けられると共に、他側に貫通孔と連通する収容部が形成され、該収容部の内側に少なくとも一つの凹溝が形成されることにより、ヘッド部が取付部と結合され、前記ブロックは収容部に収容されるシリンダー状のものであり、その長さが各凹溝の長さより大きく、該ブロックの一部が収容部に収容されることにより、凹溝を封止し、
前記ロック用カバーは外筒の螺合部に螺合され、その断面はコ字形であると共に、中央に貫通孔が形成され、貫通孔の付近の内側にヘッド部材の取付部材を位置決めるため斜面部が設けられ、
前記プランジャーは外筒の内部に移動可能に設けられ、その前端に軟質のストッパーが設けられることを特徴とする気圧押し返し式安全注射器。
【請求項２】
前記位置決め溝の長さが螺合部より短く、前記取付部材の外側に複数の防滑リブ及び密接リングが設けられ、又、該ヘッド部が取付部と一体に形成されることを特徴とする請求項１に記載の気圧押し返し式安全注射器。
【請求項３】
前記ストッパーの付近に割れ部が形成され、前記収容部の内側に長さが該収容部の深さより短い四つの凹溝が形成されることを特徴とする請求項２に記載の気圧押し返し式安全注射器。
【考案の詳細な説明】
【技術分野】
【０００１】
本考案は、特に気圧によりヘッド部を外筒の内部に収縮する気圧押し返し式安全注射器に関するものである。
【背景技術】
【０００２】
従来の安全注射器は、例えば、台湾実用新案公告第４０５４０５号「安全注射器の構造の改良」に開示され、外筒及び保護筒の間にガイド機構を設けることにより、ヘッド及び外筒を保護筒の内部に収縮する。
【０００３】
又、台湾実用新案登録第Ｍ２４１０４９号「片手で操作できる収縮式安全注射器」に開示され、ヘッド部とストッパーとの間に互いに対応する第１連結部と第２連結部が設けられ、該第１連結部と第２連結部とを結合することにより、ヘッド部を外筒の内部に収縮する。
【考案の開示】
【考案が解決しようとする課題】
【０００４】
しかしながら、前記二種類の安全注射器は構造が複雑であることから、製造コストが高く、歩留まりが悪いという欠点があった。
【０００５】
そこで、案出されたのが本考案であって、気圧によりヘッド部を外筒の内部に収縮する気圧押し返し式安全注射器を提供することを目的としている。
【課題を解決するための手段】
【０００６】
本願の請求項１の考案は、注射筒と、ヘッド部材と、ロック用カバーと、プランジャーとを有する気圧押し返し式安全注射器であって、
前記注射筒はシリンダー状の外筒を有し、その一端にねじ山を有する螺合部が設けられると共に、他端に外側へ延出する指用つばが設けられ、該螺合部を有する一端に互いに平行する複数の位置決め溝が形成されることにより、該端を複数の係合部に分割し、
前記ヘッド部材は、ヘッド部と、取付部材と、一部が該取付部材の内部に収容されるブロックとを有し、該取付部材の一側の中央に貫通孔を有する中空な取付部が設けられると共に、他側に貫通孔と連通する収容部が形成され、該収容部の内側に少なくとも一つの凹溝が形成されることにより、ヘッド部が取付部と結合され、前記ブロックは収容部に収容されるシリンダー状のものであり、その長さが各凹溝の長さより大きく、該ブロックの一部が収容部に収容されることにより、凹溝を封止し、
前記ロック用カバーは外筒の螺合部に螺合され、その断面はコ字形であると共に、中央に貫通孔が形成され、貫通孔の付近の内側にヘッド部材の取付部材を位置決めるため斜面部が設けられ、
前記プランジャーは外筒の内部に移動可能に設けられ、その前端に軟質のストッパーが設けられることを特徴とする気圧押し返し式安全注射器及び、
本願の請求項２の考案は、前記位置決め溝の長さが螺合部より短く、前記取付部材の外側に複数の防滑リブ及び密接リングが設けられ、又、該ヘッド部が取付部と一体に形成されることを特徴とする請求項１に記載の気圧押し返し式安全注射器及び、
本願の請求項３の考案は、前記ストッパーの付近に割れ部が形成され、前記収容部の内側に長さが該収容部の深さより短い四つの凹溝が形成されることを特徴とする請求項２に記載の気圧押し返し式安全注射器、を提供する。
【考案の効果】
【０００７】
本考案は上記の課題を解決するものであり、ロック用カバーの斜面部と外筒における係合部との螺合状態により、ヘッド部材を外筒の内部に固定でき、又、緩めるとヘッド部材を移動可能な状態とすることができるので、ヘッド部材を気圧によって外筒の内部に収縮することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る気圧押し返し式安全注射器の分解斜視図であり、図２は本考案に係る気圧押し返し式安全注射器の断面図であり、図３は図２の３-３線を示す断面図であり、図４は本考案に係る気圧押し返し式安全注射器のプランジャーをブロックへ移動する状態を示す断面図であり、図５は本考案に係る気圧押し返し式安全注射器のロック用カバーを回転する状態を示す断面図であり、図６は本考案に係る気圧押し返し式安全注射器の回収した状態を示す断面図である。
【００１０】
図１乃至図３に示すように、本考案に係る気圧押し返し式安全注射器は、注射筒（１０）と、ヘッド部材（２０）と、ロック用カバー（３０）と、プランジャー（４０）とを有し、該注射筒（１０）はシリンダー状の外筒（１１）を有し、その一端にねじ山を有する螺合部（１２）が設けられると共に、他端に外側へ延出する指用つば（１３）が設けられ、該螺合部（１２）を有する一端に互いに平行する複数の位置決め溝（１２１）が形成され、該位置決め溝（１２１）の長さが螺合部（１２）より短く、本実施例では、該螺合部（１２）を有する一端に三つの位置決め溝（１２１）が形成されることにより、該端を三つの係合部（１２２）に分割する。
【００１１】
前記ヘッド部材（２０）は、ヘッド部（２３）と、取付部材（２１）と、一部が該取付部材（２１）の内部に収容されるブロック（２５）とを有し、該取付部材（２１）の一部が前記螺合部（１２）の係合部（１２２）の内部に収容され、外側に複数の防滑リブ（２１１）及び密接リング（２１２）が設けられる。
【００１２】
前記取付部材（２１）の一側の中央に貫通孔（２２１）を有する中空な取付部（２２）が設けられ、他側に貫通孔（２２１）と連通する収容部（２１３）が形成され、該収容部（２１３）の内側に少なくとも一つの凹溝（２１４）が形成され、本実施例では、収容部（２１３）の内側に長さが該収容部（２１３）の深さより短い四つの凹溝（２１４）が形成される。
【００１３】
前記ヘッド部（２３）は取付部（２２）と結合され、又、該ヘッド部（２３）が取付部（２２）と一体に形成されても良い。
【００１４】
前記ブロック（２５）は収容部（２１３）に収容されるシリンダー状のものであり、その長さが各凹溝（２１４）の長さより大きい。本実施例では、該ブロック（２５）の一部が収容部（２１３）に収容されることにより、凹溝（２１４）を封止する。
【００１５】
前記ロック用カバー（３０）は外筒（１１）の螺合部（１２）と螺合され、その断面がコ字形であると共に、中央に貫通孔（３１）が形成され、貫通孔（３１）の付近の内側に斜面部（３２）が設けられることにより、係合部（１２２）で防滑リブ（２１１）を緊縮すると共に、ヘッド部材（２０）の取付部材（２１）を位置決める。
【００１６】
前記プランジャー（４０）は外筒（１１）の内部に移動可能に設けられ、その前端に軟質のストッパー（４１）が設けられると共に、ストッパー（４１）の付近に割れ部（４２）が形成される。
【００１７】
又、図２に示すように、本考案を利用して採血又は薬液を吸入する際、プランジャー（４０）を外筒（１１）の後側へ移動させ、ストッパー（４１）を後側へ連動させ、そして血液又は薬液が順にヘッド部（２３）、貫通孔（２２１）及び凹溝（２１４）を通じて外筒（１１）の内部に流れ込み、又、注射する際、プランジャー（４０）を外筒（１１）の前端へ移動することにより、薬液をヘッド部（２３）から注射しだすことができる。
【００１８】
又、図１、図４乃至図６に示すように、使用後、ヘッド部材（２０）を外筒（１１）の内部に収縮する場合、該ブロック（２５）を収容部（２１３）の内部に押し込むことにより、ブロック（２５）が各凹溝（２１４）を封止し、次はロック用カバー（３０）を回転させ、斜面部（３２）を係合部（１２２）と離間させ、この際、再びプランジャー（４０）を外筒（１１）の後側へ移動させると、ヘッド部材（２０）が気圧により真空状態になる外筒（１１）の内部へ収縮することができ、該ヘッド部材（２０）が外筒（１１）の内部に収縮した後、プランジャー（４０）が割れ部（４２）にて割れることにより、ヘッド部材（２０）が再び外筒（１１）から外側へ突出することを防止できる。
【産業上の利用可能性】
【００１９】
本考案は上記の構成を有し、ロック用カバーの斜面部と外筒における係合部との螺合状態により、ヘッド部材を外筒の内部に固定でき、又、緩めるとヘッド部材を移動可能な状態とすることができるので、ヘッド部材を気圧によって外筒の内部に収縮することができる。
【図面の簡単な説明】
【００２０】
【図１】本考案に係る気圧押し返し式安全注射器の分解斜視図である。
【図２】本考案に係る気圧押し返し式安全注射器の断面図である。
【図３】図２の３-３線を示す断面図である。
【図４】本考案に係る気圧押し返し式安全注射器のプランジャーをブロックへ移動する状態を示す断面図である。
【図５】本考案に係る気圧押し返し式安全注射器のロック用カバーを回転する状態を示す断面図である。
【図６】本考案に係る気圧押し返し式安全注射器の回収した状態を示す断面図である。
【符号の説明】
【００２１】
１０        注射筒
１１        外筒
１２        螺合部
１２１      位置決め溝
１３        指用つば
２０        ヘッド部材
２１        取付部材
２１１      防滑リブ
２１２      密接リング
２１３      収容部
２１４      凹溝
２２        取付部
２２１      貫通孔
２３        ヘッド部
２５        ブロック
３０        ロック用カバー
３１        貫通孔
３２        斜面部
４０        プランジャー
４１        ストッパー
４２        割れ部
【図１】
0003108867.tif 000003
【図２】
0003108867.tif 000004
【図３】
0003108867.tif 000005
【図４】
0003108867.tif 000006
【図５】
0003108867.tif 000007
【図６】
0003108867.tif 000008